(57)【要約】【課題】  画質劣化しにくい光走査装置を備えた画像形成装置を提供する。【解決手段】  複数本の光線を偏向手段２６に導き、偏向手段２６で反射した光線を分離手段３０によって複数の方向の光線に分離し、それぞれの光線で複数の被走査体１６、１８、２０、２２を走査する光走査装置を備え、分離手段３０で略同じ方向に分離されるよう反射された複数の光線を各々透過もしくは反射させる光学素子のうち、少なくとも１つの光学素子の調整機構を別体に構成し、略同方向に反射された複数の光ビーム相互間におけるずれの挙動が一定方向ではなくなるようにして、画質上色ズレが目立ちにくい良好な画質を得る。【選択図】  図３
2006058462.tif 000002
【特許請求の範囲】
【請求項１】
複数本の光線を偏向手段に導き、該偏向手段で反射した光線を分離手段によって複数の方向の光線に分離し、それぞれの光線で複数の被走査体を走査する光走査装置を備えた画像形成装置において、
前記分離手段で略同じ方向に分離されるよう反射された複数の光線を各々透過もしくは反射させる光学素子のうち、少なくとも１つの光学素子の調整機構を別体に構成したことを特徴とする光走査装置を備えた画像形成装置。
【請求項２】
複数本の光線を偏向手段に導き、該偏向手段で反射した光線を分離手段によって複数の方向の光線に分離し、それぞれの光線で複数の被走査体を走査する光走査装置を備えた画像形成装置において、
前記分離手段で略同じ方向に分離されるよう反射された複数の光線を各々透過もしくは反射させる複数の光学素子の各調整機構が、光走査方向の始まり側と終わり側とで逆になるように配置されていることを特徴とする光走査装置を備えた画像形成装置。
【請求項３】
前記分離手段で略同じ方向に分離されるよう反射された複数の光線における走査光線のドラム軸に対する傾きを調整するスキュー調整機構を、光走査方向の始まり側、終わり側とがお互いに逆になるように配置したことを特徴とする請求項２に記載の画像形成装置。
【請求項４】
前記分離手段で略同じ方向に分離されるよう反射された複数の光線における走査光線の副走査方向の照射位置を調整するリードレジストレーション調整機構を光走査方向の始まり側、終わり側とがお互いに逆になるように配置したことを特徴とする請求項２に記載の画像形成装置。
【請求項５】
複数本の光線を偏向手段に導き、該偏向手段で反射した光線を分離手段によって複数の方向の光線に分離し、それぞれの光線で複数の被走査体を走査する光走査装置を備えた画像形成装置において、
前記分離手段で略同じ方向に分離されるよう反射された複数の光線における走査光線の湾曲を調整する複数のボウ調整機構の相互で、光学部品に対する加圧方向が異なる方向となるように構成したことを特徴とする画像形成装置。
【発明の詳細な説明】
【技術分野】
【０００１】
本発明は、光走査装置を利用した、デジタル複写機やレーザビームプリンタ等の画像形成装置に関する。
【背景技術】
【０００２】
一般に、電子写真方式を用いたフルカラー若しくは白黒の複写機又はプリンタ等の画像形成装置では、例えば現像装置におけるドラム状に形成された感光体を一様に帯電し、この感光体を、光走査装置（走査光学装置）により画像情報に基づいて制御された光で露光して感光体上に静電潜像を形成する。そして、この静電潜像をトナーによって可視像（トナー像）とし、さらにこのトナー像を記録紙（記録媒体）に転写し、これを定着装置によって定着して画像形成している。
【０００３】
また、従来のカラー画像形成装置には、光走査装置として、４つの光源から発せられた光ビームを多面鏡の回転軸を挟んで回転軸と直交する両方向から２組の走査レンズを透過させることにより、光ビームを光路分割して４つの感光体に導くいわゆるスプレーペイント型光走査装置を用いたものがある（例えば、特許文献１参照。）。
【０００４】
しかし、このような従来のスプレーペイント型光走査装置では、図１１に例示するように、４色の光ビームイエロー（Ｙ）、マゼンタ（Ｍ）、シアン（Ｃ）、ブラック（Ｋ）を多面鏡で２方向に分けているため、温度上昇による筐体の変動又は衝撃などによる光学部品の位置ずれによる光ビームのズレが分離手段で分離された同じ組の２本（例えば、イエロー（Ｙ）、マゼンタ（Ｍ）対応ビームの組と、シアン（Ｃ）、ブラック（Ｋ）対応ビームの組）で同じ挙動をし、これら２組の光路のズレが、そのまま画像での色ズレに反映されることとなり、色ズレが目立ち画質劣化し易いといった問題がある。
【特許文献１】特開平１１−１０９２６５号公報
【発明の開示】
【発明が解決しようとする課題】
【０００５】
本発明は、上述の問題に鑑み、画質劣化しにくい光走査装置を備えた画像形成装置を新たに提供することを目的とする。
【課題を解決するための手段】
【０００６】
本発明の請求項１に記載の画像形成装置は、複数本の光線を偏向手段に導き、偏向手段で反射した光線を分離手段によって複数の方向の光線に分離し、それぞれの光線で複数の被走査体を走査する光走査装置を備えた画像形成装置において、分離手段で略同じ方向に分離されるよう反射された複数の光線を各々透過もしくは反射させる光学素子のうち、少なくとも１つの光学素子の調整機構を別体に構成したことを特徴とする。
【０００７】
上述のように構成することにより、画像形成装置内の温度上昇や衝撃などにより光ビームのずれが光学部品の位置を可動可能に構成した調整箇所で発生しても、分離手段によって略同方向に反射された光線がそれぞれ別体に構成された光学素子の調整機構により各々透過もしくは反射されるため、略同方向に反射された複数の光ビーム相互間におけるずれの挙動が一定方向ではなくなるので、画質上色ズレが目立ちにくい良好な画質を得ることができる。
【０００８】
本発明の請求項２に記載の画像形成装置は、複数本の光線を偏向手段に導き、偏向手段で反射した光線を分離手段によって複数の方向の光線に分離し、それぞれの光線で複数の被走査体を走査する光走査装置を備えた画像形成装置において、分離手段で略同じ方向に分離されるよう反射された複数の光線を各々透過もしくは反射させる複数の光学素子の各調整機構が、光走査方向の始まり側と終わり側とで逆になるように配置されていることを特徴とする。
【０００９】
上述のように構成することにより、画像形成装置内の温度上昇や衝撃などにより光ビームのずれが光学部品の位置を可動可能に構成した調整箇所で発生しても、分離手段によって略同方向に進行するビームの組で、ある１本のビームの機構部を光走査始まり側に設置し、もう１本のビームの機構部を光走査終わり側に設置することで、略同方向に反射された複数の光ビーム相互間におけるずれの挙動を異ならせることにより、画質上色ズレが目立ちにくい良好な画質を得ることができる。
【００１０】
請求項３に記載の発明は、請求項２に記載の画像形成装置において、分離手段で略同じ方向に分離されるよう反射された複数の光線における走査光線のドラム軸に対する傾きを調整するスキュー調整機構を、光走査方向の始まり側、終わり側とがお互いに逆になるように配置したことを特徴とする。
【００１１】
請求項４に記載の発明は、請求項２に記載の画像形成装置において、分離手段で略同じ方向に分離されるよう反射された複数の光線における走査光線の副走査方向の照射位置を調整するリードレジストレーション調整機構を光走査方向の始まり側、終わり側とがお互いに逆になるように配置したことを特徴とする。
【００１２】
本発明の請求項５に記載の画像形成装置は、複数本の光線を偏向手段に導き、偏向手段で反射した光線を分離手段によって複数の方向の光線に分離し、それぞれの光線で複数の被走査体を走査する光走査装置を備えた画像形成装置において、分離手段で略同じ方向に分離されるよう反射された複数の光線における走査光線の湾曲を調整する複数のボウ調整機構の相互で、光学部品に対する加圧方向が異なる方向となるように構成したことを特徴とする。
【００１３】
上述のように構成することにより、複数のボウ調整機構の相互で、走査光線の湾曲を調整するための加圧方向を異ならすことにより、分離手段で略同じ方向に分離されるよう反射された複数の光線の挙動を異ならせることにより、画質上色ズレが目立ちにくい良好な画質を得ることができる。
【発明の効果】
【００１４】
本発明の画像形成装置によれば、光走査装置画側で温度上昇による筐体の変動又は衝撃による光学部品の位置ずれ等により光ビームの光路にズレを生じても、色ずれが目立ちにくい良好な画質を得られるようにして画質劣化しにくくできるという効果がある。
【発明を実施するための最良の形態】
【００１５】
本発明の画像形成装置に係わる実施の形態を、図１乃至図１１により説明する。
本実施の形態に係わるスプレーペイント型光走査装置を備えた画像形成装置は、図１に示すように、タンデム型のフルカラープリンタとして構成する。このフルカラープリンタの本体１０の内部には、スプレーペイント型の光走査装置１２であるＲＯＳ（Ｒａｓｔｅｒ  Ｏｕｔｐｕｔ  Ｓｃａｎｎｅｒ）と、フルカラーの画像形成を行う画像形成ユニットであるプリントヘッドデバイス１４（Ｐｒｉｎｔ  Ｈｅａｄ  Ｄｅｖｉｃｅ）が設置されている。
【００１６】
図１及び図２に示すように、このプリントヘッドデバイス１４は、像担持体として４個の感光ドラム（被走査体）１６、１８、２０、２２を内蔵する。光走査装置１２は、４個の感光ドラム１６、１８、２０、２２に対する画像の露光処理を行う。プリントヘッドデバイス１４に内蔵されている像担持体である４個の感光ドラム１６、１８、２０、２２には、各色の現像装置２３が設けられている。
【００１７】
このフルカラープリンタの本体１０では、プリントヘッドデバイス１４が、給紙カセット２５から記録媒体（記録用紙）の供給を受けてトナー像を転写し、定着装置２７でトナー像が転写された記録媒体に定着処理を施し、画像が形成された記録媒体を排出トレイ上に排出するよう構成されている。
【００１８】
この光走査装置１２は、ハウジング２４の内部に、図示しないが、イエロー（Ｙ）、マゼンタ（Ｍ）、シアン（Ｃ）、ブラック（Ｋ）の各色の画像情報をそれぞれ含む４本のレーザービームを出射する半導体レーザーアレイ等からなるレーザ光源を備えている。レーザー光源から出射されたレーザービームは、コリメータレンズ、シリンドリカルレンズを透過して平行ビームに調整され、偏向手段である回転反射鏡（例えばポリゴンミラー装置）２６に入射する。
【００１９】
偏向手段である回転反射鏡２６で反射されたレーザービームは、走査レンズ２８を透過して、分離手段である分離多面鏡３０に入射する。この分離多面鏡３０の反射面は、略正方形の隣接する２つの辺を含む面（直交する２つの平面）で形成されている。そして、この分離多面鏡３０には、４本のレーザービームが、ほぼ等間隔で２本ずつが対称の位置となる光路で入射するように、レーザ光源位置が調整されている。
【００２０】
この分離手段である分離多面鏡３０の反射面によって反射される各方向には、４本のレーザをそれぞれ反射する各反射鏡３２が分離多面鏡３０に対してほぼ対称の位置で４本配置されている。これら反射鏡３２で反射されたそれぞれのレーザビームは分離多面鏡３０に対してほぼ対称の各位置に４本配置されている光学素子としてのシリンドリカルミラー３４Ａ、３４Ｂ、３４Ｃ、３４Ｄに入射し反射される。
【００２１】
光学素子としての４本のシリンドリカルミラー３４Ａ、３４Ｂ、３４Ｃ、３４Ｄにそれぞれ反射されたレーザービームは、略平行な４本の光路を通って、それぞれ対応する被走査体である像担持体としての４個の感光ドラム１６、１８、２０、２２（なお感光体ドラム以外の像担持体を用いても良い）に入射して、その表面に静電潜像を形成する。
【００２２】
図１に示すように、このフルカラープリンタ本体１０では、被走査体としての感光ドラム２２に形成されたブラック（黒）の画像、被走査体としての感光ドラム１６に形成されたイエローの画像、被走査体としての感光ドラム１８に形成されたマゼンタの画像及び被走査体としての感光ドラム２０に形成されたシアンの画像を一定の速度で一方向に搬送される中間転写体３６に順次転写した後、一括して用紙（記録媒体）に転写することによりカラーの画像が得られる。
【００２３】
上述のように構成したタンデム型カラー用の光走査装置では、４本の走査光線に対するカラーレジストレーションを調整する必要がある。例えば、この光走査装置では、走査線の傾き（以下スキューという）、走査方向（図６の矢印Ｄ方向）と直交方向の副走査照射位置（以下リードレジストレーションという）、走査線の湾曲（以下ボウという）を４本とも調整することでカラーレジストレーションを補正する。
【００２４】
この光走査装置１２では、カラーレジストレーションを調整するため、光学素子としてのシリンドリカルミラー３４Ａ、３４Ｂ、３４Ｃ、３４Ｄに調整機構を設ける。図７に示すように、シリンドリカルミラー３４Ａ、３４Ｂ、３４Ｃ、３４Ｄの調整機構は、シリンドリカルミラー部材３８の両端部近傍にそれぞれ設置した支受部材４０を、位置調整可能なように図示しない筐体に装着して構成する。
【００２５】
この支受部材４０は、板金製で矩形の鍔状に形成し、その中央部に穿設した開口内部にシリンドリカルミラー部材３８を挿通し、図示しない板ばね等を用いてシリンドリカルミラー部材３８が支受部材４０と相対的に移動しないよう付勢した状態で、シリンドリカルミラー部材３８を支持可能に構成する。各支受部材４０は、図示しないが、それぞれ取り付け状態を変更調整可能なようにハウジング２４に固定する。
【００２６】
このように構成されたシリンドリカルミラー３４Ａ、３４Ｂ、３４Ｃ、３４Ｄの調整機構では、ハウジング２４に対する各支受部材４０の取り付け位置を調整することにより走査線の調整を行い、この調整後ハウジング２４に各支受部材４０を固定して、カラーレジストレーションの調整を終える。
【００２７】
また、シリンドリカルミラー３４Ａ、３４Ｂ、３４Ｃ、３４Ｄの調整機構は、上述した構成のものの他に、図８に示すように、シリンドリカルミラー部材３８の両端部をそれぞれ挿入可能な凹部が形成された樹脂製等のホルダ４２を用いて構成しても良い。
【００２８】
このホルダ４２は、シリンドリカルミラー部材３８の両端部にそれぞれの凹部を嵌合させ、接着又は圧入等の手段で固着して取り付ける。さらに、各ホルダ４２の外周部には、それぞれ図示しない支受部材を嵌合させて設置する。これらの支受部材は、図示しないが、それぞれ取り付け状態を変更調整可能なようにハウジング２４に固定する。
【００２９】
この図８に示すシリンドリカルミラー３４Ａ、３４Ｂ、３４Ｃ、３４Ｄの調整機構は、前述と同様にハウジング２４に対する各支受部材４０の取り付け位置を調整してから固定することにより走査線の調整を行う。
【００３０】
また、図７に示す板金製の支受部材４０を用いたシリンドリカルミラー３４Ａ、３４Ｂ、３４Ｃ、３４Ｄの調整機構は、温度上昇でハウジング（筐体）２４が変化し走査線の変動が大きい場合の使用に適する。さらに、温度上昇による走査線変動が小さい場合には、図８に示すシリンドリカルミラー３４Ａ、３４Ｂ、３４Ｃ、３４Ｄの調整機構の樹脂製ホルダ４２を使用することで色ずれが目立たなくできる。なお、調整機構だけでなく、光学部品を保持する部材の材質、板厚を異ならせることで同様な効果が得られるように構成しても良い。
【００３１】
図２及び図３に示すように、このタンデム型カラー用の光走査装置では、分離手段である分離多面鏡３０によりその上下に２色ずつ反射させて分離するもので、図２で分離多面鏡３０の上側の最上位に配置したシリンドリカルミラー３４Ａでイエロービームが反射し、その下側位置に配置したシリンドリカルミラー３４Ｂでマゼンタビームが反射するよう光路を設定し、分離多面鏡３０の直下に配置したシリンドリカルミラー３４Ｃでシアンビームが反射し、その下の最下位に配置したシリンドリカルミラー３４Ｄでブラックビームが反射されるように光路を設定する。
【００３２】
また、このタンデム型カラー用の光走査装置では、リードレジストレーション又はスキューの調整を、各シリンドリカルミラー３４Ａ、３４Ｂ、３４Ｃ、３４Ｄの走査方向（図６の矢印Ｄ方向）の片側にそれぞれ配置した調整機構で行うことができる。このため、これらシリンドリカルミラー３４Ａ、３４Ｂ、３４Ｃ、３４Ｄは、それぞれ一方の端部にリードレジストレーション調整機構を配置し、他方の端部にスキュー調整機構を配置する。
【００３３】
さらに、このタンデム型カラー用の光走査装置では、分離多面鏡３０が図２で上方に反射するイエロービームとシアンビームのリードレジストレーション調整機構を、イエロービームが走査方向（図６の矢印Ｄ方向）における走査開始側となり、シアンビームが走査終わり側となるように配置する。これと共にスキュー調整機構は、リードレジストレーション調整機構の配置と反対側に配置するもので、イエロービームが走査終わり側となるように配置し、シアンビームが走査開始側となるように配置する。
【００３４】
また、このタンデム型カラー用の光走査装置では、分離多面鏡３０に対して下方に反射するマゼンタビームとブラックビームとの光路に対して、マゼンタビームのリードレジストレーション調整機構を走査開始側に配置し、ブラックビームのリードレジストレーション調整機構を走査終わり側に配置する。これと共に、スキュー調整機構は、マゼンタビームのスキュー調整機構を走査終わり側に配置し、ブラックビームのスキュー調整機構を走査開始側に配置する。
【００３５】
次に、光走査装置１２におけるリードレジストレーションの調整機構について、図９により説明する。
【００３６】
このリードレジストレーション調整機構では、シリンドリカルミラー３４Ａ、３４Ｂにおいて、それぞれシリンドリカルミラー部材３８をミラーホルダ４６にセットし、両側の固定調整ネジ４４と中央の固定調整ネジ４５で締結して保持する。
【００３７】
また、光走査装置１２のハウジング２４におけるミラーホルダ４６の取り付け位置には、取り付け用の矩形開口５２を穿設し、この矩形開口５２周囲の所定位置に穿孔したねじ穴５７にねじ５６を締結することによって、矩形開口５２の周囲部分に受金部材５０を固定する。
【００３８】
このリードレジストレーション調整機構では、ミラーホルダ４６のボス４８を受金部材５０に穿孔した支受穴５４に挿入して回動可能に支受させるよう構成する。
【００３９】
このシリンドリカルミラー３４Ａ、３４Ｂに設けた調整機構でリードレジトレーションを調整する場合には、受金部材５０に設けた透孔５８に、別途用意した治具６０を挿通し、治具６０に突設した偏心ピン６２をミラーホルダ４６に穿設したＵ字状の切り欠き部６４に挿入した状態で、治具６０を回動操作することによって偏心ピン６２でミラーホルダ４６をボス４８の周りに回転させることで、シリンドリカルミラー部材３８の位置を調整して、対応する感光ドラム１６、１８、２０、２２に対する各副走査位置をそれぞれ調整することができる。このリードレジストレーション調整機構では、シリンドリカルミラー部材３８を所望の位置に調整後、ねじ６４をミラーホルダ４６のねじ孔６６に螺挿することによって、受金部材５０とミラーホルダ４６を固定し、調整を完了する。
【００４０】
次に、光走査装置１２のシリンドリカルミラー３４Ｃ、３４Ｄに設けるスキュー調整機構について、図１０（Ａ）（Ｂ）により説明する。
【００４１】
このスキュー調整機構では、シリンドリカルミラー３４Ｃ、３４Ｄにおけるミラーホルダ４６に設けられたボス６８を支受調整金具７０の軸穴７２に軸着する。また、光走査装置１２のハウジング２４におけるミラーホルダ４６の取り付け位置には、取り付け用の矩形開口７６を穿設し、この矩形開口７６周囲部分に支受調整金具７０を、ねじ７８で締結する。
【００４２】
この支受調整金具７０には、ハウジング２４に設けたピン７４を摺動可能に挿通する切り欠き８０を穿設し、シリンドリカルミラーの法線Ａ（図１０（Ｂ）に図示）に直交する方向Ｂ（図１０（Ｂ）に図示）だけに移動調整できるよう構成する。
【００４３】
このように構成した調整機構でスキューを調整する場合には、支受調整金具７０に設けた透孔８２に、別途用意した治具６０を挿通し、治具６０に突設した偏心ピン６２をミラーホルダ４６に穿孔した操作透孔８４に挿通した状態で、治具６０を回動操作することによって偏心ピン６２でミラーホルダ４６をボス６８の周りに回転させることで、支受調整金具７０の位置をシリンドリカルミラーの法線Ａに直交する方向Ｂに移動してシリンドリカルミラー母線に傾きを生じさせ、対応する感光ドラム１６、１８、２０、２２上での各走査線の傾きをそれぞれ調整することができる。
【００４４】
このスキュー調整機構では、シリンドリカルミラー部材３８を所望の位置に調整後、ねじ７８をハウジング２４に設けたねじ穴７９に螺挿することによって、支受調整金具７０とハウジング２４を固定し、調整を完了する。
【００４５】
次に、光走査装置１２におけるボウ調整機構について、図９及び図１０により説明する。
【００４６】
このボウ調整機構は、各シリンドリカルミラー３４Ａ、３４Ｂ、３４Ｃ、３４Ｄに設けるもので、シリンドリカルミラー部材３８をミラーホルダ４６内にセットし、ミラーホルダ４６の図９で上側の長板部における両側の各所定位置に配置された固定調整ネジ４４と、長板部における中央所定位置に配置された固定調整ネジ４５と、一方の固定調整ネジ４４と固定調整ネジ４５との中央位置に当たるミラーホルダ４６の図９で下側に配置した受台部材８６と、他方の固定調整ネジ４４と固定調整ネジ４５との中央位置に当たるミラーホルダ４６の図９で下側に配置した受台部材８８とによって、挟み付けるように構成する。
【００４７】
このように構成したボウ調整機構では、中央の固定調整ネジ４５又は両側の固定調整ネジ４４を、ミラーホルダ４６に螺挿するときのねじ込み量を調整してシリンドリカルミラー部材３８を長手方向に湾曲させることで、走査線湾曲の調整を行うことができる。
【００４８】
また、この光走査装置１２では、図４に矢印Ｃで示すように、各シリンドリカルミラー３４に対する固定調整ネジ４４及び固定調整ネジ４５の螺挿方向（加圧方向）を設定する。すなわち、図４で分離多面鏡３０に対して図の上側に配置されたシリンドリカルミラー３４Ａ、３４Ｂでは、固定調整ネジ４４及び固定調整ネジ４５の螺挿方向が相互に対向する方向となるように設定し、図４で分離多面鏡３０に対して図の下側に配置されたシリンドリカルミラー３４Ｃ、３４Ｄでは、固定調整ネジ４４及び固定調整ネジ４５の螺挿方向が相互に離反方向（相互に背を向けて離れる方向）となるように設定して構成する。
【００４９】
このように構成することにより、分離多面鏡３０の同一反射面で反射された２本のビームをそれぞれ反射するシリンドリカルミラー３４Ａ、３４Ｃを湾曲させるための矢印Ｃで示す加圧方向を異ならす（対向又は離反する方向とする）ことにより、分離多面鏡３０の同一反射面で反射された２本のレーザビームの挙動が異なり、カラーレジストレーション変動が２本づつに分かれること（図１１に例示する状態）がなくなるためカラーレジストレーションズレを図５に示すように目立たなくできる。
【００５０】
また、この光走査装置１２では、可動機構を持たせた調整機構部が温度上昇、衝撃などの外的要因により変動を生じることがある。このように変動を生じた際に、分離多面鏡３０の同一反射面で反射された２本のビームの調整箇所を例えば図２に示すように異ならすことにより、２本のレーザビームの挙動が異なり、カラーレジストレーション変動が２本づつに分かれることがなくなるため、図５に例示するようにカラーレジストレーションズレを目立たなくし、色ずれが目立ちにくい良好な画質を得ることができる。
【００５１】
なお、本発明は、上述した実施の形態に限定されるものではなく、本発明の要旨を逸脱しない範囲で、その他種々の構成を取り得ることは勿論である。
【図面の簡単な説明】
【００５２】
【図１】本発明の実施の形態に係わる画像形成装置の縦断面概略構成図である。
【図２】本発明の実施の形態に係わる画像形成装置内部に設置する光走査装置とプリントヘッドデバイスの要部を示す概略構成図である。
【図３】本発明の実施の形態に係わる画像形成装置における光走査装置とプリントヘッドデバイスとの光路の状態を示す説明図である。
【図４】本発明の実施の形態に係わる画像形成装置の光走査装置における各シリンドリカルミラーに対する調整方向を示す説明図である。
【図５】本発明の実施の形態に係わる画像形成装置におけるカラーレジストレーションズレを目立たなくできる状態を例示する説明図である。
【図６】本発明の実施の形態に係わる画像形成装置における光走査装置からプリントヘッドデバイスの感光ドラムへ光ビームを走査する状態を示す概略斜視図である。
【図７】本発明の実施の形態に係わる画像形成装置におけるシリンドリカルミラー部材に装着するカラーレジストレーション調整機構を示す斜視図である。
【図８】本発明の実施の形態に係わる画像形成装置におけるシリンドリカルミラー部材に装着するカラーレジストレーション調整機構の他の構成例を示す斜視図である。
【図９】本発明の実施の形態に係わる画像形成装置におけるリードレジストレーションの調整機構を示す分解斜視図である。
【図１０】（Ａ）は、本発明の実施の形態に係わる画像形成装置におけるスキュー調整機構を示す分解斜視図、（Ｂ）は、シリンドリカルミラーの移動調整方向を示す説明図である。
【図１１】従来の画像形成装置でカラーレジストレーションズレを生じる状態を例示する説明図である。
【符号の説明】
【００５３】
１０  フルカラープリンタ本体
１２  光走査装置
１４  プリントヘッドデバイス
１６  感光ドラム
１８  感光ドラム
２０  感光ドラム
２２  感光ドラム
２４  ハウジング
２６  回転反射鏡
３０  分離多面鏡
３２  反射鏡
３４Ａ      シリンドリカルミラー
３４Ｂ      シリンドリカルミラー
３４Ｃ      シリンドリカルミラー
３４Ｄ      シリンドリカルミラー
３８  シリンドリカルミラー部材
４０  支受部材
４２  ホルダ
４２  樹脂製ホルダ
４４  固定調整ネジ
４５  固定調整ネジ
４６  ミラーホルダ
４８  ボス
５０  受金部材
５２  矩形開口
５４  支受穴
６８  ボス
７０  支受調整金具
７２  軸穴
７６  矩形開口
８４  操作透孔
８６  受台部材
【図１】
2006058462.tif 000003
【図２】
2006058462.tif 000004
【図３】
2006058462.tif 000005
【図４】
2006058462.tif 000006
【図５】
2006058462.tif 000007
【図６】
2006058462.tif 000008
【図７】
2006058462.tif 000009
【図８】
2006058462.tif 000010
【図９】
2006058462.tif 000011
【図１０】
2006058462.tif 000012
【図１１】
2006058462.tif 000013